(57)【要約】【課題】  固定子からの振動を密閉容器に伝達される前に低減させ、騒音を大幅に低減させることができる密閉形圧縮機を提供する。【解決手段】  電動要素を構成する固定子２の外径を密閉容器１内径よりも小さくし、固定子２の外径と密閉容器１の内径とを直接接触させず、別部材１３を介して、固定子と密閉容器を固定する。そして、別部材１３の材質、形状を減衰特性の高い材質、形状にする。ことにより、固定子２のティース部２ｃの加振による振動を密閉容器１に伝達させる前に減衰させることができ、密閉容器１に伝わる振動を大幅に低減させ、騒音を低減することが出来る。【効果】  固定子２のティース部２ｃの加振による振動を密閉容器１に伝達させる前に減衰させることができ、密閉容器１に伝わる振動を大幅に低減させ、騒音を低減することが出来る。【選択図】  図４
2005133584.tif 000002
【特許請求の範囲】
【請求項１】
密閉容器内に、圧縮機構部と前記圧縮機構部を駆動する為の回転子と固定子からなる電動機を備えており、固定子には集中巻方式でエナメル線が巻かれている密閉形圧縮機において、固定子鉄心の外径を密閉容器の内径よりも小さくし、固定子の外径と密閉容器内壁との接触を避け、固定子を密閉容器に固定する手段として、固定子若しくは密閉容器に別部材を取付け、その部材と密閉容器若しくは固定子が焼嵌や圧入等により固定されており、その部材の材質または、形状を高減衰特性を持たせたことを特徴とする密閉形圧縮機。
【請求項２】
密閉容器内に、圧縮機構部と前記圧縮機構部を駆動する為の回転子と固定子からなる電動機を備えており、固定子には集中巻方式でエナメル線が巻かれている密閉形圧縮機において、固定子の外径側に、複数の空洞が設けられており、その空洞部をティース部の背面（外径側）に配置し、その空洞部の一部若しくは全部に高減衰性のある部材が挿入されたことを特徴とする密閉形圧縮機。
【発明の詳細な説明】
【技術分野】
【０００１】
本発明は、空調、冷凍用の密閉形冷媒圧縮機に係り、電動機の加振により密閉容器に伝達される振動を低減させ、騒音の低減を施した密閉形圧縮機に関するものである。
【背景技術】
【０００２】
従来より、この種の密閉形圧縮機の電動機には、誘導電動機或いはＤＣモータが用いられているが、ＤＣモータの場合、その永久磁石には、当初は、フェライト永久磁石が用いられていたが、近年、小型、高効率を図る為に希土類永久磁石が盛んに採用されている。
【０００３】
次に従来の密閉形圧縮機について、図１及び図２を用いて説明する。密閉容器１の上部に電動要素として固定子２と回転子３からなる電動機と、その下部には回転子３と回転軸４により連結された圧縮要素が配置されている。
【０００４】
電動要素は、例えばＤＣモータの場合、回転子３は、略円径の所定の形状に打抜かれた電磁鋼板を複数枚積層され、カシメ等で一体化されており、その積層された電磁鋼板内に永久磁石としてフェライト磁石や希土類磁石を複数個埋設（図示せず）している。
【０００５】
固定子２は、内周側に複数の歯状の形状をもった所定の形状に打抜かれた電磁鋼板を複数舞積層され鉄心を構成し、その歯状部分（ティース）２ｃに、集中巻方式でエナメル線２ｂが巻かれており、固定子鉄心２ａの外周面は密閉容器の内壁に接して固定されている。また、固定子鉄心２ａの外周面には、複数の切欠部２ｄが形成されており、この切欠部は密閉容器内壁との間に冷媒通路１０を形成している。
【０００６】
圧縮要素は、例えばロータリ圧縮機の場合は図１に示すように、シリンダ５とシリンダの溝部に遊合されたベーン６とシリンダの上下を閉塞し回転軸の軸受部を担う第１ベアリング８、第２ベアリング９を備えており、シリンダ５には、一部が偏心加工された回転軸４とその偏心部には、ローラ７が遊合されており、回転軸４の回転により圧縮空間を構成している。
【０００７】
係る構成にて、密閉形圧縮機が通電されると、電動機に回転磁界が発生し、回転子３が回転する。
【０００８】
この回転子３の回転は回転軸４を介して圧縮要素に伝わり、圧縮要素を構成するローラ７を偏心回転させ、冷媒ガスを吸込み、圧縮工程を繰り返す。圧縮要素から、吐出された高圧ガスは、サイレンサ１１を通過して密閉容器内に吐出される。その後、固定子２及び固定子と回転子とで構成される隙間を通り  密閉容器１の上部に設けられた吐出管１２よりサイクル側に吐出される。
【０００９】
また、更なる従来の密閉形圧縮機として、特開２００１−３４２９５４号公報記載の場合、図３に示すように固定子鉄心長さ（積厚）に対し、密閉容器１の内壁と接触する部分の長さを短くしている。
【００１０】
【特許文献１】特開２００１−３４２９５４号公報
【発明の開示】
【発明が解決しようとする課題】
【００１１】
しかしながら、密閉形圧縮機に用いられる電動機として、ＤＣモータは、通常の誘導モータに比べ、固定子２の磁気吸引力が大きい。
【００１２】
特に、フェライト永久磁石に対し、希土類永久磁石の場合、磁石の保磁力も大きく磁気吸引力による固定子２のティース部２ｃの加振が大きくなり、そのティース部２ｃの振動が密閉容器１に伝達され、圧縮機の騒音が大きくなる。
【００１３】
また、その製造工数低減や、銅損低減の為にスロット数を減らし、巻線量を低減した集中巻き線方式の電動機を採用した場合は、回転子３の回転に対して、磁束の変化が大きく、固定子２のティース部２ｃの加振が分布巻方式固定子を採用した電動機より大きくなり、圧縮機の騒音が増大する問題がある。
【００１４】
この騒音を低減する為に、前述の特開２００１−３４２９５４号公報に記載のように固定子鉄心の長さ（積厚）に対し、密閉容器１の内壁と接触する部分の長さを短くする手段もあるが、その場合、固定子２の外径部が、密閉容器１の内壁に直に接触している為に、固定子２のティース部２ｃの振動が直接密閉容器１に伝達されるため、騒音低減の効果は不十分で、圧縮機の騒音が増大する問題が残る。
【００１５】
本発明は、係る従来技術の課題を解決する為に成されたものであり、固定子２のティース部２ｃの振動を、固定子２の外径部から密閉容器１に伝達し難く、圧縮機の騒音低減を図ることを目的とするものである。
【課題を解決するための手段】
【００１６】
即ち、請求項１の発明に示す密閉形圧縮機は、密閉容器内に圧縮要素とその圧縮要素に回転軸により電動要素が連結された圧縮機である。
【００１７】
その電動機を構成する固定子の外径を密閉容器の内径よりも小さくし、密閉容器と固定子とを減衰特性のある別部材を用いて固定しており、この別部材の材質を減衰性のある材料にしたり、また、その形状を減衰性を高めたものにしたり、固定子の固有値に反共振点を持たせるようにしたことを特徴とした密閉形圧縮機である。
【００１８】
また、請求項２の発明に示す密閉形圧縮機は、固定子の外径側に、複数の空洞が設けられており、その空洞部をティース部の背面（外径側）に配置し、その空洞の一部若しくは全部に減衰特性を持った部材を挿入したことを特徴とする密閉形圧縮機である。
【発明の効果】
【００１９】
以上詳述した如く請求項１の発明によれば、固定子外径を密閉容器内径よりも小さくし、密閉容器と固定子とを減衰特性のある別部材を用いて固定することにしている為、固定子鉄心と密閉容器が直接接触しない為、固定子鉄心に生じた振動を直接密閉容器へ伝達させないため、密閉形圧縮機の騒音を大幅に低減させることができる。
【００２０】
また、請求項２の発明によれば、固定子の外径側に複数個の空洞が設けられ、その空洞部は、ティース部の背面に形成されており、その空洞部の一部若しくは全部に減衰性の高い部材が挿入されたものであり、ティースに生じた振動は、固定子内を伝播する途中で空隙部に挿入された減衰材により減衰されることで、固定子鉄心に生じた振動を直接密閉容器へ伝達させないため、密閉形圧縮機の騒音を大幅に低減させることができる。
【発明を実施するための最良の形態】
【００２１】
本発明の実施形態を詳細に述べる。
【００２２】
図４は請求項１に示す本発明に係る密閉形圧縮機の縦断面図、図５には同密閉形圧縮機の電動機部の上面図と斜視図を示す。
【００２３】
密閉容器１の上部に電動要素として固定子２と回転子３からなる電動機と、その下部には回転子３と回転軸４により連結された圧縮要素が配置されている。
【００２４】
圧縮要素は、シリンダ５とシリンダの溝部に遊合されたベーン６とシリンダの上下を閉塞し回転軸の軸受部を担う第１ベアリング８、第２ベアリング９を備えており、シリンダ５には、一部が偏心加工された回転軸４とその偏心部には、ローラ７が遊合されており、回転軸４の回転によりローラ７が偏心回動し圧縮空間を構成している。
【００２５】
電動要素は、ＤＣモータであり、固定子２は、所定の形状に打抜かれた電磁鋼板を複数舞積層され固定子鉄心２ａを形成し、そのティース部２ｃに、集中巻方式でエナメル線が巻かれている。
【００２６】
本発明に係る電動機を構成する固定子２の外径は、密閉容器１の内径よりも小さく設定されており、密閉容器１に固定する手段として、固定子２若しくは密閉容器１に別部材１３が取付けられており、その別部材１３と密閉容器１若しくは固定子２が焼嵌等により固定されている。その別部材１３の材質、形状を減衰特性の高い材質、形状にすることにより、固定子２のティース部２ｃの加振による振動を密閉容器１に伝達させる前に減衰させることができ、密閉容器１に伝わる振動を大幅に低減させ、騒音を低減することが出来る。
【００２７】
また、図６は請求項２に示す本発明の密閉形圧縮機の縦断面図、図７は同密閉形圧縮機の電動機部の上面図を示したものである。
【００２８】
この場合、固定子２の外径側に空洞１４が複数設けられており、その空洞部をティース部の背面（外径側）に配置し、その空洞部の一部若しくは全部に減衰特性をもった部材を挿入したものである。
【００２９】
回転子３が回転する際に固定子２のティース部２ｃに生じる振動を、固定子２の外形側に伝達される前に固定子２の内部で減衰させることで、固定子鉄心に生じた振動を直接密閉容器へ伝達させないため、密閉形圧縮機の騒音を大幅に低減させることができる。
【図面の簡単な説明】
【００３０】
【図１】従来の密閉形圧縮機の縦断面図。
【図２】従来の密閉形圧縮機の上面図。
【図３】更なる従来の密閉形圧縮機の縦断面図。
【図４】本発明に係る密閉形圧縮機の縦端面図。
【図５】本発明に係る電動機の上面及び斜視図。
【図６】本発明に係る別の密閉形圧縮機の縦断面図。
【図７】本発明に係る別の電動機の上面図。
【符号の説明】
【００３１】
１…密閉容器、２…固定子、２ａ…固定子鉄心、２ｂ…巻線、２ｃ…ティース部、２ｄ…固定子外径の切欠部、３…回転子、４…回転軸、５…シリンダ、６…ベーン、７…ローラ、８…第１ベアリング、９…第２ベアリング、１０…密閉容器内壁と固定子外径部による隙間、１１…サイレンサ、１２…吐出管、１３…別部材、１４…固定子空洞部、１５…減衰材。
【図１】
2005133584.tif 000003
【図２】
2005133584.tif 000004
【図３】
2005133584.tif 000005
【図４】
2005133584.tif 000006
【図５】
2005133584.tif 000007
【図６】
2005133584.tif 000008
【図７】
2005133584.tif 000009